(57)【要約】  本発明の一態様によれば、無線リソーススケジューリング方法が提供され、該方法は、フォーマット情報を生成し、前記フォーマット情報はリソース割り当て情報のフォーマットを指定し、前記フォーマットは前記無線基地局と同時に通信を行う複数の移動局の数量に対応し；前記複数の移動局に割り当てられる無線リソースに対応する前記フォーマット情報により指定されているフォーマットを有するリソース割り当て情報を生成し；及び、前記複数の移動局に、前記リソース割り当て情報を送信することを含む。
2017026457.tif 000002
【特許請求の範囲】
【請求項１】
無線基地局により実行される無線リソーススケジューリング方法であって、
フォーマット情報を生成し、前記フォーマット情報は、リソース割り当て情報のフォーマットを指定し、前記フォーマットは、前記無線基地局と同時に通信を行う複数の移動局の数量に対応し；
前記複数の移動局に割り当てられる無線リソースに対応する前記フォーマット情報により指定されているフォーマットを有するリソース割り当て情報を生成し；及び
前記複数の移動局に、前記リソース割り当て情報を送信する、方法。
【請求項２】
請求項1に記載の方法であって、
前記フォーマット情報を生成することは、
前記無線基地局と同時に通信を行う移動局の最大数量が第一閾値以下である時に、第一フォーマットを指定するフォーマット情報を生成し；及び
前記無線基地局と同時に通信を行う移動局の最大数量が第一閾値よりも大きく且つ第二閾値以下である時に、第二フォーマットを指定するフォーマット情報を生成することを含む、方法。
【請求項３】
請求項2に記載の方法であって、
下りリンク制御シグナリングにより、前記複数の移動局に、生成されている前記リソース割り当て情報を通知し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きい、方法。
【請求項４】
無線基地局であって、
フォーマット情報を生成し、また、複数の移動局について割り当てられる無線リソースに対応する前記フォーマット情報により指定されているフォーマットを有するリソース割り当て情報を生成するための制御ユニットであって、前記フォーマット情報は、リソース割り当て情報のフォーマットを指定し、前記フォーマットは、前記無線基地局と同時に通信を行う複数の移動局の数量に対応する、制御ユニット；及び
前記複数の移動局に、前記リソース割り当て情報を送信するための送信ユニットを含む、無線基地局。
【請求項５】
請求項４に記載の無線基地局であって、
前記制御ユニットは、前記無線基地局と同時に通信を行う移動局の最大数量が第一閾値以下である時に、第一フォーマットを指定するフォーマット情報を生成し；且つ前記無線基地局と同時に通信を行う移動局の最大数量が第一閾値よりも大きく且つ第二閾値以下である時に、第二フォーマットを指定するフォーマット情報を生成する、無線基地局。
【請求項６】
請求項５に記載の無線基地局であって、
前記送信ユニットは、下りリンク制御シグナリングにより、前記複数の移動局に、生成されている前記リソース割り当て情報を通知し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きい、無線基地局。
【請求項７】
無線基地局と同時に通信を行う複数の移動局のうちの移動局であって、
前記無線基地局からリソース割り当て情報を受信する受信ユニットを備え、
前記リソース割り当て情報のフォーマットは、前記無線基地局と同時に通信を行う前記複数の移動局の数量に対応し、
前記フォーマットは、前記複数の移動局に割り当てられる無線リソースに対応するフォーマット情報により指定される、移動局。
【請求項８】
請求項７に記載の移動局であって、
前記無線基地局と同時に通信を行う移動局の最大数量が第一閾値以下である場合、前記フォーマット情報は、第一フォーマットを指定し、
前記無線基地局と同時に通信を行う移動局の最大数量が第一閾値よりも大きく且つ第二閾値以下である場合、前記フォーマット情報は、第二フォーマットを指定する、移動局。
【請求項９】
請求項８に記載の移動局であって、
前記受信ユニットは、下りリンク制御シグナリングにより、前記リソース割り当て情報を受信し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きい、移動局。
【請求項１０】
無線基地局と同時に通信を行う複数の移動局のうちの移動局に用いる無線リソーススケジューリング方法であって、
前記無線基地局からリソース割り当て情報を受信し、
前記リソース割り当て情報のフォーマットは、前記無線基地局と同時に通信を行う前記複数の移動局の数量に対応し、
前記フォーマットは、前記複数の移動局に割り当てられる無線リソースに対応するフォーマット情報により指定される、方法。
【請求項１１】
請求項１０に記載の方法であって、
前記無線基地局と同時に通信を行う移動局の最大数量が第一閾値以下である場合、前記フォーマット情報は、第一フォーマットを指定し、
前記無線基地局と同時に通信を行う移動局の最大数量が第一閾値よりも大きく且つ第二閾値以下である場合、前記フォーマット情報は、第二フォーマットを指定する、方法。
【請求項１２】
請求項１１に記載の方法であって、
下りリンク制御シグナリングにより、前記リソース割り当て情報を受信し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きい、方法。
【発明の詳細な説明】
【技術分野】
【０００１】
本開示は、無線リソーススケジューリング方法、無線基地局及び移動局に関し、より具体的には、マルチアンテナ技術を採用する通信システムにおける無線リソーススケジューリング方法、無線基地局及び移動局に関する。
【背景技術】
【０００２】
MIMO技術は、複数のアンテナを配置することにより、ダイバーシチ又はマルチプレックスの方式でデータ伝送を行うため、無線ネットワークの容量を大幅に向上させることができる。マクロセル及びスモールセルのような３次元セルの環境において移動局が異なる高さに位置し得る。例えば、建築物の異なるフロアにおいて複数の移動局を分布させることができる。このようなことを考慮して、基地局と移動局との間の信号伝送品質及び無線通信システムのスループットをより一層向上させるために、２次元アンテナアレー技術が提案されており、これにより、垂直次元において空間ダイバーシチを拡張することが可能となる。【０００３】
3GPPのRelease  12では、無線基地局がアンテナアレーにより4つの移動局と同時に通信することが既に提案されている。無線基地局は、移動局とデータ伝送を行う時に、前もって移動局に下りリンク制御シグナリングを送信することにより、各移動局に、無線基地局が該移動局とデータ伝送を行う時に用いる無線リソースを通知することができる。ユーザ装置の数量は絶えず増加するので、無線基地局がより多くの移動局を同時にサポートし得ることが望ましい。しかし、従来の通信システムでは、無線基地局がより多くの移動局とデータ伝送を行うことがサポートされない。
【発明の概要】
【発明が解決しようとする課題】
【０００４】
本開示の目的は、無線基地局がより多くの移動局を同時にサポートすることにより、通信システムの容量を向上させることができる、新しい無線リソーススケジューリング方法及びそれに対応する無線基地局と移動局を提供することにある。
【課題を解決するための手段】
【０００５】
本開示の一側面によれば、無線基地局により実行される無線リソーススケジューリング方法が提供され、前記方法は、
フォーマット情報を生成し、そのうち、フォーマット情報は、リソース割り当て情報のフォーマットを指定し、フォーマットは、無線基地局と同時に通信を行う複数の移動局の数量に対応し；
複数の移動局に割り当てられる無線リソースに対応するフォーマット情報により指定されているフォーマットを有するリソース割り当て情報を生成し；及び
複数の移動局に、リソース割り当て情報を通知することを含む。【０００６】
本開示の他の側面によれば、無線基地局が提供され、前記無線基地局は、
フォーマット情報を生成し、また、複数の移動局のために割り当てられる無線リソースに対応する前記フォーマット情報により指定されているフォーマットを有するリソース割り当て情報を生成するように構成される制御ユニットであって、前記フォーマット情報は、リソース割り当て情報のフォーマットを指定し、前記フォーマットは、前記無線基地局と同時に通信を行う複数の移動局の数量に対応する、制御ユニット；及び
前記複数の移動局に、リソース割り当て情報を通知するように構成される送信ユニットを含む。【０００７】
本開示の他の側面によれば、無線基地局と同時に通信を行う複数の移動局のうちの移動局が提供され、前記移動局は、
前記無線基地局からリソース割り当て情報を受信する受信ユニットを備え、
前記リソース割り当て情報のフォーマットは、前記無線基地局と同時に通信を行う前記複数の移動局の数量に対応し、
前記フォーマットは、前記複数の移動局に割り当てられる無線リソースに対応するフォーマット情報により指定される。【０００８】
本開示の他の側面によれば、無線基地局と同時に通信を行う複数の移動局のうちの移動局に用いる無線リソーススケジューリング方法が提供され、前記方法は、
前記無線基地局からリソース割り当て情報を受信し、
前記リソース割り当て情報のフォーマットは、前記無線基地局と同時に通信を行う前記複数の移動局の数量に対応し、
前記フォーマットは、前記複数の移動局に割り当てられる無線リソースに対応するフォーマット情報により指定される。【０００９】
本開示によれば、無線基地局は、リソース割り当て情報のフォーマットを指定するためのフォーマット情報及びフォーマット情報により指定されているフォーマットにマッチするリソース割り当て情報を生成し、移動局に通知することにより、各移動局に無線基地局が該移動局とデータ伝送を行う時に用いる無線リソースを通知するためのリソース割り当て情報を柔軟に拡張することができる。これにより、無線基地局は、リソース割り当て情報により同時により多くの移動局をサポートすることができるため、通信システムの容量を向上させることができる。
【図面の簡単な説明】
【００１０】
【図１】本開示の一実施例における無線リソーススケジューリング方法のフローチャートである。
【図２】本開示の一例によるリソース割り当てエレメントの説明図である。
【図３】本開示の一例による複数の移動局に対して生成されているリソース割り当て情報を通知するためのDCIメッセージの説明図である。
【図４】本開示の他の例による複数の移動局に対して生成されているリソース割り当て情報を通知するためのDCIメッセージの説明図である。
【図５】本開示の他の例による複数の移動局に対して生成されているリソース割り当て情報を通知するためのDCIメッセージの説明図である。
【図６】本開示の一実施例における無線基地局のブロック図である。
【図７】本開示の他の実施例における無線リソーススケジューリング方法のフローチャートである。
【図８】本開示の一実施例における移動局のブロック図である。
【図９】本開示の一実施例による基地局及び移動局のハードウェア構成の一例を示す図である。
【発明を実施するための形態】
【００１１】
以下、添付した図面を参照しながら本開示の実施例における無線リソーススケジューリング方法、移動局及び基地局について詳しく説明する。
【００１２】
図1は、本開示の一実施例における無線リソーススケジューリング方法100のフローチャートである。無線リソーススケジューリング方法100は、無線基地局により実行することができる。本開示の実施例では、基地局は、アンテナアレーを有し、これにより、空間領域の水平次元及び／又は垂直次元上でダイバーシチを行うことができる。以下、図1をもとに、本開示の一実施例における無線リソーススケジューリング方法100を詳細に説明する。
【００１３】
図1に示すように、ステップS101では、フォーマット情報を生成し、そのうち、前記フォーマット情報は、リソース割り当て情報のフォーマットを示し、また、リソース割り当て情報のフォーマットは、無線基地局と同時に通信を行う複数の移動局の数量に対応する。具体的には、無線基地局は、複数の移動局に同時にデータを伝送することができ、また、リソース割り当て情報のフォーマットは、該複数の移動局の最大数量に対応する。
【００１４】
本開示の一例によれば、ステップS101では、無線基地局と同時に通信を行う移動局の最大数量が第一閾値以下である時に、第一フォーマットを指定するフォーマット情報を生成することができ、また、無線基地局と同時に通信を行う移動局の最大数量が第一閾値よりも大きく且つ第二閾値以下である時に、第二フォーマットを指定するフォーマット情報を生成することができる。例えば、無線基地局と同時に通信を行う移動局の最大数量が4以下である時に、言い換えると、無線基地局がサポートし得る、データ伝送を同時に行うことができる移動局の数量が4以下である時に、第一フォーマットを指定するフォーマット情報を生成し、また、無線基地局と同時に通信を行う移動局の最大数量が4よりも大きく且つ8以下である時に、言い換えると、無線基地局がサポートし得る、データ伝送を同時に行うことができる移動局の数量が4よりも大きく且つ8以下である時に、第二フォーマットを指定するフォーマット情報を生成する。
【００１５】
その後、ステップS102では、複数の移動局のために割り当てられる無線リソースに基づいて、フォーマット情報により指定されているフォーマットを有するリソース割り当て情報を生成し、そのうち、リソース割り当て情報は、複数の移動局のうちの各々に対してのリソース割り当てエレメントを含む。例えば、上述のように、無線基地局と同時に通信を行う移動局の最大数量が第一閾値以下である時に、ステップS101では、第一フォーマットを指定するフォーマット情報を生成する。それに応じて、ステップS102では、複数の移動局のために割り当てられる無線リソースに基づいて、第一フォーマットを有するリソース割り当て情報を生成することができる。また、無線基地局と同時に通信を行う移動局の最大数量が第一閾値よりも大きく且つ第二閾値以下である時に、ステップS101では、第二フォーマットを指定するフォーマット情報を生成する。それに応じて、ステップS102では、複数の移動局のために割り当てられる無線リソースに基づいて、第二フォーマットを有するリソース割り当て情報を生成することができる。無線基地局は、各リソース割り当てエレメントにより指定されている無線リソースに基づいて、対応する移動局に下りリンク復調参照信号（DMRS、Data  Demodulation  Reference  Signal）などを送信することができる。
【００１６】
本開示の一例によれば、第一フォーマットを有するリソース割り当て情報中のリソース割り当てエレメントは、第二フォーマットを有するリソース割り当て情報中のリソース割り当てエレメントとは、類似したパラメータを含んでも良い。リソース割り当てエレメントは、アンテナポートパラメータを含んでも良い。具体的には、各移動局についてのリソース割り当てエレメントは、無線基地局が該移動局のために割り当てた、データ伝送のためのアンテナポートを指定するように、アンテナポートパラメータを含んでも良い。また、リソース割り当てエレメントは、他のパラメータを含んでも良い。
【００１７】
図2は、本開示の一例によるリソース割り当てエレメントの説明図である。図2に示すように、リソース割り当てエレメント210は、移動局UE1に対応するリソース割り当てエレメントであり、また、リソース割り当てエレメント220は、移動局UE1と同時にデータ伝送を行う移動局UE2に対応するリソース割り当てエレメントである。リソース割り当てエレメント210及びリソース割り当てエレメント220はともに空間レイヤパラメータ"layer"、アンテナポートパラメータ"port"及びスクランブリングパラメータ(即ち、SCID)を含む。空間レイヤパラメータ210は、無線基地局が該移動局のために割り当てた、アンテナアレーによりデータ伝送を行う時に占用する空間レイヤ数を指定する。SCIDパラメータは、データ伝送を行う時に用いるスクランブリングシーケンスを指定する。具体的には、図2に示すように、無線基地局は、移動局UE1及び移動局UE2について、同時にデータ伝送を行うために同じアンテナポートを割り当てており、また、移動局UE1及び移動局UE2について、移動局UE1及び移動局UE2の送信するデータが準直交関係を有するように異なるスクランブリングシーケンスを割り当てており、これにより、移動局UE1及び移動局UE2に対して送信するデータは区別され得る。また、第二フォーマットを有するリソース割り当て情報中のリソース割り当てエレメントの数量は、第一フォーマットを有するリソース割り当て情報中のリソース割り当てエレメントの数量よりも大きくても良い。これにより、第二フォーマットを有するリソース割り当て情報は、より多くの移動局が同時にデータ伝送を行うことをサポートすることができる。
【００１８】
本開示の一例によれば、無線基地局と同時に通信を行う移動局の最大数量が第一閾値以下である時に、生成されているリソース割り当て情報を送信し得るアンテナポートは、無線基地局と同時に通信を行う移動局の最大数量が第一閾値よりも大きく且つ第二閾値以下である時に、生成されているリソース割り当て情報を送信し得るアンテナポートと同じである。言い換えると、無線基地局と同時に通信を行う移動局の最大数量が第一閾値以下である時に、リソース割り当てエレメント中のアンテナポートパラメータにより指定されているアンテナポートは、無線基地局と同時に通信を行う移動局の最大数量が第一閾値よりも大きく且つ第二閾値以下である時に、リソース割り当てエレメント中のアンテナポートパラメータにより指定されているアンテナポートと同じであっても良い。例えば、無線基地局にはアンテナポート7〜14が設けられているとする。上述の２つの場合では、ともに、アンテナポート（7、8、11、13）を用いて通信を行うことができる。
【００１９】
オプションとして、本開示の他の例によれば、無線基地局と同時に通信を行う移動局の最大数量が第一閾値以下である時に、生成されているリソース割り当て情報を送信し得るアンテナポートは、無線基地局と同時に通信を行う移動局の最大数量が第一閾値よりも大きく且つ第二閾値以下である時に、生成されているリソース割り当て情報を送信し得るアンテナポートと異なる。言い換えると、無線基地局と同時に通信を行う移動局の最大数量が第一閾値以下である時に、リソース割り当てエレメント中のアンテナポートパラメータにより指定されているアンテナポートは、無線基地局と同時に通信を行う移動局の最大数量が第一閾値よりも大きく且つ第二閾値以下である時に、リソース割り当てエレメント中のアンテナポートパラメータにより指定されているアンテナポートと異なっても良い。例えば、無線基地局と同時に通信を行う移動局の最大数量が第一閾値以下である時に、リソース割り当てエレメント中のアンテナポートパラメータにより指定されているアンテナポートは、ポート（7〜14）であるとする。この場合と区別し得るために、無線基地局では、無線基地局と同時に通信を行う移動局の最大数量が第一閾値よりも大きく且つ第二閾値以下である場合について、異なるアンテナポートを設置しても良く、例えば、無線基地局と同時に通信を行う移動局の最大数量が第一閾値以下である時に、リソース割り当てエレメント中のアンテナポートパラメータにより指定されているアンテナポートは、ポート（E1〜E4）である。
【００２０】
また、無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは、同じである。例えば、第一閾値が4であり、第二閾値が8であり、無線基地局にはアンテナポート（7〜14）が設置されており、アンテナポート（7、8、11、13）について第一チャネル送信リソースが割り当てられており、アンテナポート（9、10、12、14）について第二チャネル送信リソースが割り当てられているとする。無線基地局と同時に通信を行う移動局の最大数量が8である時に、無線基地局は、データ伝送を同時に行う複数の移動局について、通信を行うために同じチャネル送信リソースを用いるアンテナポート（7、8、11、13）を割り当てることができる。本開示の一例によれば、チャネル送信リソースは、時間及び周波数リソースを含んでも良い。移動局は、リソース割り当てエレメント中のアンテナポートパラメータにより、無線基地局が該移動局のために割り当てているアンテナポートが使用するチャネル送信リソースを確定することができる。そして、確定されているチャネル送信リソースに基づいて、下りリンク復調参照信号（DMRS）を受信することができる。また、移動局はさらに、確定されている下りリンク復調参照信号（DMRS）に関するチャネル送信リソースに基づいて、該移動局がデータを受信する時に使用するチャネル送信リソースを確定することもできる。
【００２１】
オプションとして、前記無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは、異なる。例えば、上述の例では、無線基地局と同時に通信を行う移動局の最大数量が8である時に、無線基地局は、データ伝送を同時に行う複数の移動局について、通信のためにアンテナポート（7、8、9、10）を割り当てることができる。上述のように、アンテナポート（7、8）とアンテナポート（9、10）が使用するチャネル送信リソースは、異なる。この場合、図1に示す方法はさらに、各移動局にリソース指定情報を通知することを含んでも良く、そのうち、前記リソース指定情報は、該移動局に対応する他の移動局にリソース割り当て情報を送信するアンテナポートのチャネル送信リソースを指定する。例えば、上述の例では、無線基地局と同時に通信を行う移動局の最大数量が8である時に、アンテナポート（7、8）を用いて通信を行う移動局に、アンテナポート（9、10）が使用するチャネル送信リソースを通知するために、リソース指定情報を送信することができ、その逆もまた然りである。言い換えると、無線基地局は、特定の移動局にリソース指定情報を送信することにより、該特定の移動局に、それ自身（該特定の移動局）が使用するアンテナポートと同時に信号伝送を行う他のアンテナポートが使用するチャネル送信リソースを通知することができる。無線基地局は、前記他のアンテナポートが使用するチャネル送信リソースにより、前記特定の移動局以外の他の移動局に下りリンク復調参照信号（DMRS）を送信することができる。移動局はさらに、リソース割り当てエレメント中のアンテナポートパラメータにより、無線基地局が該移動局のために割り当てたアンテナポートが使用するチャネル送信リソースを確定することができる。そして、確定されているチャネル送信リソースに基づいて、下りリンク復調参照信号（DMRS）を受信することができる。また、移動局はさらに、確定されているそれ自身の下りリンク復調参照信号（DMRS）が使用するチャネル送信リソース及び他の移動局の下りリンク復調参照信号（DMRS）が使用するチャネル送信リソースに基づいて、該移動局がデータを受信する時に使用するチャネル送信リソースを確定するもできる。
【００２２】
再び図1を参照する。ステップS103では、アンテナポートにより、複数の移動局に、生成されているフォーマット情報及びリソース割り当て情報を通知する。本開示の一例によれば、ステップS103では、下りリンク制御シグナリング（DCI）により、複数の移動局に、生成されているリソース割り当て情報を通知することができる。上述のように、第二フォーマットを有するリソース割り当て情報中のリソース割り当てエレメントの数量は、第一フォーマットを有するリソース割り当て情報中のリソース割り当てエレメントの数量よりも大きくても良い。それに応じて、第二フォーマットを有するリソース割り当て情報を通知するための下りリンク制御シグナリングに含まれるビット数は、第一フォーマットを有するリソース割り当て情報を通知するための下りリンク制御シグナリングに含まれるビット数よりも大きい。また、生成されているリソース割り当て情報を送信するための複数のアンテナポートが占用するチャネル送信リソースが異なる時に、下りリンク制御シグナリング（DCI）により複数の移動局に上述のリソース指定情報を通知しても良く、これにより、各移動局自身に関するアンテナポート以外の他のアンテナポート、又は他のアンテナポートが使用するチャネル送信リソースを指定することができる。例えば、同時に複数の移動局と通信を行うことができるアンテナポートが、異なるチャネル送信リソースを使用する２組の特定のアンテナポートである場合、下りリンク制御シグナリング（DCI）により送信されるリソース指定情報は、付加ポート指定情報であっても良い。具体的には、付加ポート指定情報の値が0又は1であっても良く、リソース指定情報（即ち、付加ポート指定情報）の値が0である時に、異なるチャネル送信リソースを用いて、例えば下りリンク復調参照信号（DMRS）を送信するアンテナポートが存在しないことを指定しても良く、リソース指定情報（即ち、付加ポート指定情報）の値が1である時に、異なるチャネル送信リソースを用いて、例えば下りリンク復調参照信号（DMRS）を送信するアンテナポートが存在することを指定しても良い。
【００２３】
図3は、本開示の一例における複数の移動局に対して生成されているリソース割り当て情報を通知するためのDCIメッセージの説明図である。図3に示す例では、DCIメッセージ310により、複数の移動局に第一フォーマットを有するリソース割り当て情報を通知し、また、DCIメッセージ320により、複数の移動局に第二フォーマットを有するリソース割り当て情報を通知する。図3に示すように、DCIメッセージ310及びDCIメッセージ320におけるリソース割り当てエレメントは、類似したパラメータ、即ち、空間レイヤパラメータ"layer"、アンテナポートパラメータ"port"及びスクランブリングパラメータ"SCID"を含む。DCIメッセージ310に比べ、DCIメッセージ320は、DCIメッセージに含まれるビット数を拡張しており、これにより、DCIメッセージ320により、機能が多い移動局へ生成されているリソース割り当て情報を通知することができる。図3に示す例では、無線基地局は、同時にデータ伝送を行う複数の移動局について、同じチャネル送信リソースを使用するアンテナポート（7、8、11、13）を通信のために割り当てている。上述のように、移動局は、アンテナポートパラメータ"port"により指定されているアンテナポートに基づいて、無線基地局が自分（該移動局）に送信する下りリンク復調参照信号（DMRS）が使用するチャネル送信リソースを確定することができる。また、特定のリソースブロックのうち、下りリンク復調参照信号（DMRS）を送信するためのチャネル送信リソース以外の他のチャネル送信リソースは、データを送信するために用いられても良い。よって、移動局はさらに、確定されている下りリンク復調参照信号（DMRS）に関するチャネル送信リソースに基づいて、該移動局がデータを受信する時に使用するチャネル送信リソースを確定することもできる。
【００２４】
図4は、本開示の他の例における複数の移動局に対して生成されているリソース割り当て情報を通知するためのDCIメッセージの説明図である。図4に示す例では、DCIメッセージ310を用いて複数の移動局に第一フォーマットを有するリソース割り当て情報を通知することができるため、その詳しい説明を省略するが、複数の移動局に第二フォーマットを有するリソース割り当て情報を通知するためのDCIメッセージ420のみ示している。図4に示すように、DCIメッセージ320と同様に、DCIメッセージ420も、空間レイヤパラメータ"layer"、アンテナポートパラメータ"port"及びスクランブリングパラメータ"SCID"を含む。しかし、図4に示す例では、無線基地局は、同時にデータ伝送を行う複数の移動局について、異なるチャネル送信リソースを使用するアンテナポート（7、8、9、10）を通信のために割り当てている。この場合、DCIメッセージ420により各移動局に送信リソース指定情報"（*）"を通知することで、該移動局に、それ自身（該移動局）が使用するアンテナポートと同時に通信を行う他のアンテナポートが使用するチャネル送信リソースを通知することができる。上述のように、移動局は、アンテナポートパラメータ"port"により指定されているアンテナポートに基づいて、無線基地局が自分（該移動局）に送信する下りリンク復調参照信号（DMRS）が使用するチャネル送信リソースを確定することができ、また、送信リソース指定情報"（*）"に基づいて、無線基地局が他の移動局に送信する下りリンク復調参照信号（DMRS）が使用するチャネル送信リソースを確定することもできる。また、特定のリソースブロックのうち、下りリンク復調参照信号（DMRS）を送信するためのチャネル送信リソース以外の他のチャネル送信リソースは、データを送信するために用いられてよい。よって、移動局はさらに、確定されている下りリンク復調参照信号（DMRS）に関するチャネル送信リソースに基づいて、該移動局がデータを受信する時に使用するチャネル送信リソースを確定することもできる。
【００２５】
図5は、本開示の他の例における複数の移動局に対して生成されているリソース割り当て情報を通知するためのDCIメッセージの説明図である。図5に示す例では、DCIメッセージ310を用いて複数の移動局に第一フォーマットを有するリソース割り当て情報を通知することができるため、その詳しい説明を省略するが、複数の移動局に第二フォーマットを有するリソース割り当て情報を通知するDCIメッセージ520のみ示している。図5に示すように、DCIメッセージ420と同様に、DCIメッセージ520も、空間レイヤパラメータ"layer"、アンテナポートパラメータ"port"及びスクランブリングパラメータ"SCID"を含む。しかし、図5に示す例では、無線基地局と同時に通信を行う移動局の最大数量が異なる場合について、異なるアンテナポートを設置している。図5中のアンテナポートパラメータ"port"により指定されているように、無線基地局と同時に通信を行う移動局の最大数量が第一閾値よりも大きく且つ第二閾値以下である時に、移動局について、アンテナポート（7、8）と異なるアンテナポート（E1〜E4）を割り当てている。アンテナポート（E1〜E4）は、異なるチャネル送信リソースを用いることができる。また、DCIメッセージ420と同様に、DCIメッセージ520を用いて、各移動局に、送信リソース指定情報"（*）"を通知することもできる。
【００２６】
また、本開示の他の例によれば、ステップS103では、伝送モードシグナリング及びモード付加シグナリングを用いて複数の移動局に対して生成されているフォーマット情報を通知しても良い。例えば、無線基地局と同時に通信を行う移動局の最大数量が第一閾値以下である時に、リソース割り当て情報を通知するための伝送モードシグナリングは、無線基地局と同時に通信を行う移動局の最大数量が第一閾値よりも大きく且つ第二閾値以下である時に、リソース割り当て情報を通知するための伝送モードシグナリングと同じである。この場合、さらにモード付加シグナリングを用いて、無線基地局と同時に通信を行う移動局の最大数量を指定することもできる。
【００２７】
オプションとして、ステップS103では、伝送モードシグナリングのみ用いて複数の移動局に対して生成されているフォーマット情報を通知しても良い。例えば、無線基地局と同時に通信を行う移動局の最大数量が第一閾値よりも大きく且つ第二閾値以下である場合について、無線基地局と同時に通信を行う移動局の最大数量が第一閾値以下である場合と異なる伝送モードを設置しても良い。それに応じて、無線基地局と同時に通信を行う移動局の最大数量が第一閾値以下である時に、リソース割り当て情報を通知するための伝送モードシグナリングは、無線基地局と同時に通信を行う移動局の最大数量が第一閾値よりも大きく且つ第二閾値以下である時に、ソース割り当て情報を通知するための伝送モードシグナリングと異なる。
【００２８】
上述の無線リソーススケジューリング方法では、無線基地局は、リソース割り当て情報のフォーマットを指定するフォーマット情報、及び、フォーマット情報により指定されているフォーマットにマッチするリソース割り当て情報を生成し、移動局に通知することで、各移動局無線に基地局が該移動局とデータ伝送を行う時に使用する無線リソースを通知するリソース割り当て情報を柔軟に拡張することができ、これにより、無線基地局は、リソース割り当て情報により同時により多くの移動局をサポートし、通信システムの容量を増加させることができる。
【００２９】
以下、図6をもとに本開示の実施例における無線基地局について詳細に説明する。図6は、本開示の実施例における無線基地局600のブロック図である。図6に示すように、無線基地局600は、制御ユニット610及び送信ユニット620を含む。なお、この２つのユニット以外に、無線基地局600は、他のユニットを含んでも良いが、これらのユニットは、本実施例の内容に直接関係しないため、ここでの記載及び図示が省略される。また、本実施例による無線基地局600が行う下記操作の具体的な細部は、図1〜3に基づいて説明されている細部と同じであるため、ここでの記載も省略される。
【００３０】
制御ユニット610は、フォーマット情報を生成することができ、そのうち、前記フォーマット情報は、リソース割り当て情報のフォーマットを指定し、且つ、リソース割り当て情報のフォーマットは、無線基地局と同時に通信を行う複数の移動局の数量に対応する。具体的には、無線基地局は、同時に複数の移動局にデータ伝送を行うことができ、且つ、制御ユニット610が生成するリソース割り当て情報のフォーマットは、該複数の移動局の最大数量に対応する。
【００３１】
本開示の一例によれば、無線基地局と同時に通信を行う移動局の最大数量が第一閾値以下である時に、制御ユニット610は、第一フォーマットを指定するフォーマット情報を生成することができ、また、無線基地局と同時に通信を行う移動局の最大数量が第一閾値よりも大きく且つ第二閾値以下である時に、制御ユニット610は、第二フォーマットを指定するフォーマット情報を生成することができる。
【００３２】
その後、制御ユニット610は、複数の移動局について割り当てられる無線リソースに基づいて、フォーマット情報により指定されているフォーマットを有するリソース割り当て情報を生成することができ、そのうち、リソース割り当て情報は、複数の移動局のうちの各々に対応するリソース割り当てエレメントを含む。例えば、上述のように、無線基地局と同時に通信を行う移動局の最大数量が第一閾値以下である時に、制御ユニット610は、第一フォーマットを指定するフォーマット情報を生成することができる。それに応じて、制御ユニット610は、複数の移動局について割り当てられる無線リソースに基づいて、第一フォーマットを有するリソース割り当て情報を生成することができる。また、無線基地局と同時に通信を行う移動局の最大数量が第一閾値よりも大きく且つ第二閾値以下である時に、制御ユニット610は、第二フォーマットを指定するフォーマット情報を生成することができる。それに応じて、制御ユニット610は、複数の移動局について割り当てられる無線リソースに基づいて、第二フォーマットを有するリソース割り当て情報を生成することができる。無線基地局は、各リソース割り当てエレメントにより指定されている無線リソースに基づいて、対応する移動局に、下りリンク復調参照信号（DMRS）などを送信することができる。
【００３３】
本開示の一例によれば、第一フォーマットを有するリソース割り当て情報中のリソース割り当てエレメントは、第二フォーマットを有するリソース割り当て情報中のリソース割り当てエレメントとは、類似したパラメータを含んでも良い。リソース割り当てエレメントは、アンテナポートパラメータを含んでも良い。具体的には、各移動局に対応するリソース割り当てエレメントは、無線基地局が該移動局のために割り当てた、データ伝送のためのアンテナポートを指定するために、アンテナポートパラメータを含んでも良い。また、リソース割り当てエレメントは、他のパラメータを含んでも良い。また、第二フォーマットを有するリソース割り当て情報中のリソース割り当てエレメントの数量は、第一フォーマットを有するリソース割り当て情報中のリソース割り当てエレメントの数量よりも大きくても良い。これにより、第二フォーマットを有するリソース割り当て情報は、より多くの移動局が同時にデータ伝送を行うことをサポートすることができる。
【００３４】
本開示の一例によれば、無線基地局と同時に通信を行う移動局の最大数量が第一閾値以下である時に、生成されているリソース割り当て情報を送信し得るアンテナポートは、無線基地局と同時に通信を行う移動局の最大数量が第一閾値よりも大きく且つ第二閾値以下である時に、生成されているリソース割り当て情報を送信し得るアンテナポートと同じである。言い換えると、無線基地局と同時に通信を行う移動局の最大数量が第一閾値以下である時に、リソース割り当てエレメント中のアンテナポートパラメータにより指定されているアンテナポートは、無線基地局と同時に通信を行う移動局の最大数量が第一閾値よりも大きく且つ第二閾値以下である時に、リソース割り当てエレメント中のアンテナポートパラメータにより指定されているアンテナポートと同じであっても良い。例えば、無線基地局にはアンテナポート7〜14が設置されているとする。上述の２つの場合では、ともに、アンテナポート（7、8、11、13）を用いて通信を行うことができる。
【００３５】
オプションとして、本開示の一例によれば、無線基地局と同時に通信を行う移動局の最大数量が第一閾値以下である時に、生成されているリソース割り当て情報を送信し得るアンテナポートは、無線基地局と同時に通信を行う移動局の最大数量が第一閾値よりも大きく且つ第二閾値以下である時に、生成されているリソース割り当て情報を送信し得るアンテナポートと異なる。言い換えると、無線基地局と同時に通信を行う移動局の最大数量が第一閾値以下である時に、リソース割り当てエレメント中のアンテナポートパラメータにより指定されているアンテナポートは、無線基地局と同時に通信を行う移動局の最大数量が第一閾値よりも大きく且つ第二閾値以下である時に、リソース割り当てエレメント中のアンテナポートパラメータにより指定されているアンテナポートと異なっても良い。例えば、無線基地局と同時に通信を行う移動局の最大数量が第一閾値以下である時に、リソース割り当てエレメント中のアンテナポートパラメータにより指定されているアンテナポートがポート（7〜14）である。この場合と区別するために、無線基地局では、無線基地局と同時に通信を行う移動局の最大数量が第一閾値よりも大きく且つ第二閾値以下である場合について、異なるアンテナポートを設置しても良く、例えば、無線基地局と同時に通信を行う移動局の最大数量が第一閾値以下である時に、リソース割り当てエレメント中のアンテナポートパラメータにより指定されているアンテナポートがポート（E1〜E4）である。
【００３６】
また、無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは、同じである。オプションとして、前記無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは、異なる。この場合、制御ユニット610はさらに、リソース指定情報を生成することができ、また、送信ユニット620は、各移動局にリソース指定情報を通知することもでき、そのうち、前記リソース指定情報は、該移動局に対応する他の移動局にリソース割り当て情報を送信するアンテナポートのチャネル送信リソースを指定する。
【００３７】
また、アンテナポートにより、生成されているフォーマット情報及びリソース割り当て情報が複数の移動局へ通知される。本開示の一例によれば、送信ユニット620は、下りリンク制御シグナリング（DCI）により、複数の移動局に、生成されているリソース割り当て情報を通知することができる。上述のように、第二フォーマットを有するリソース割り当て情報中のリソース割り当てエレメントの数量は、第一フォーマットを有するリソース割り当て情報中のリソース割り当てエレメントの数量よりも大きくても良い。それに応じて、第二フォーマットを有するリソース割り当て情報を通知するための下りリンク制御シグナリングに含まれるビット数は、第一フォーマットを有するリソース割り当て情報を通知するための下りリンク制御シグナリングに含まれるビット数よりも大きい。このようにして、第一フォーマットを有するリソース割り当て情報を通知するための下りリンク制御シグナリング及び第二フォーマットを有するリソース割り当て情報を通知するための下りリンク制御シグナリング中のリソース割り当てエレメントが類似したパラメータを含み、且つ、第一フォーマットを有するリソース割り当て情報を通知するための下りリンク制御シグナリングに比べて、第二フォーマットを有するリソース割り当て情報を通知するための下りリンク制御シグナリング中のビット数が拡張されていることにより、機能が多い移動局へ生成されているリソース割り当て情報を通知することができる。
【００３８】
また、本開示の他の例によれば、送信ユニット620は、伝送モードシグナリング及びモード付加シグナリングを用いて、複数の移動局に、生成されているフォーマット情報を通知することもできる。例えば、無線基地局と同時に通信を行う移動局の最大数量が第一閾値以下である時に、ソース割り当て情報を通知するための伝送モードシグナリングは、無線基地局と同時に通信を行う移動局の最大数量が第一閾値よりも大きく且つ第二閾値以下である時に、ソース割り当て情報を通知するための伝送モードシグナリングと同じである。この場合、さらにモード付加シグナリングを用いて、無線基地局と同時に通信を行う移動局の最大数量を指定することもできる。
【００３９】
オプションとして、伝送モードシグナリングのみ用いて、複数の移動局に、生成されているフォーマット情報を通知しても良い。例えば、無線基地局と同時に通信を行う移動局の最大数量が第一閾値よりも大きく且つ第二閾値以下である場合について、無線基地局と同時に通信を行う移動局の最大数量が第一閾値以下である場合と異なる伝送モードを設置しても良い。それに応じて、無線基地局と同時に通信を行う移動局の最大数量が第一閾値以下である時に、ソース割り当て情報を通知するための伝送モードシグナリングは、無線基地局と同時に通信を行う移動局の最大数量第一閾値よりも大きく且つ第二閾値以下である時に、ソース割り当て情報を通知するための伝送モードシグナリングと異なる。
【００４０】
上述の無線基地局によれば、リソース割り当て情報のフォーマットを指定するためのフォーマット情報及びフォーマット情報により指定されているフォーマットにマッチするリソース割り当て情報を生成し、移動局に通知することで、各移動局に無線基地局が該移動局とデータ伝送を行う時に使用する無線リソースを通知するリソース割り当て情報を拡張することができ、これにより、無線基地局は、リソース割り当て情報により同時により多くの移動局をサポートし、通信システムの容量を増加させることができる。
【００４１】
図7は、本開示の一実施例における無線リソーススケジューリング方法700のフローチャートである。無線リソーススケジューリング方法700は、移動局により実行される。無線リソーススケジューリング方法700では、移動局は、無線基地局から受信しているフォーマット情報及びリソース割り当て情報に基づいて、無線基地局が自分（該移動局）とデータ伝送を行う時に使用する無線リソースを確定することができ、そのうち、フォーマット情報及びリソース割り当て情報は、図1〜図3に基づいて説明されている無線リソーススケジューリング方法100により基地局から送信されたものであっても良い。
【００４２】
以下、図7をもとに本開示の一実施例における無線リソーススケジューリング方法700について詳しく説明する。図7に示すように、ステップS701では、無線基地局からフォーマット情報を受信し、そのうち、前記フォーマット情報は、リソース割り当て情報のフォーマットを指定し、前記フォーマットは、前記無線基地局と同時に通信を行う複数の移動局の数量に対応する。具体的には、無線基地局は、同時に複数の移動局にデータを伝送することができ、且つ、リソース割り当て情報のフォーマットは、該複数の移動局の最大数量に対応する。
【００４３】
ステップS702では、受信されているフォーマット情報に基づいて、リソース割り当て情報のフォーマットを確定する。例えば、ステップS701で無線基地局から受信されているフォーマット情報は、第一フォーマット又は第二フォーマットを指定することができる。具体的には、無線基地局と同時に通信を行う移動局の最大数量が第一閾値以下である時に、ステップS701で受信されているフォーマット情報は、第一フォーマットを指定することができ、無線基地局と同時に通信を行う移動局の最大数量が第一閾値よりも大きく且つ第二閾値以下である時に、ステップS701で受信されているフォーマット情報は、第二フォーマットを指定することができる。
【００４４】
本開示の一例によれば、ステップS701では、下りリンク制御シグナリング（DCI）により通知されているリソース割り当て情報を受信することができる。上述のように、第二フォーマットを有するリソース割り当て情報中のリソース割り当てエレメントの数量は、第一フォーマットを有するリソース割り当て情報中のリソース割り当てエレメントの数量よりも大きくても良い。それに応じて、第二フォーマットを有するリソース割り当て情報を通知する下りリンク制御シグナリングに含まれるビット数は、第一フォーマットを有するリソース割り当て情報を通知する下りリンク制御シグナリングに含まれるビット数よりも大きい。
【００４５】
また、本開示の一例によれば、ステップS701では、伝送モードシグナリング及びモード付加シグナリングにより通知されているフォーマット情報を受信することができる。例えば、無線基地局と同時に通信を行う移動局の最大数量が第一閾値以下である時に、ソース割り当て情報を通知するための伝送モードシグナリングは、無線基地局と同時に通信を行う移動局の最大数量が第一閾値よりも大きく且つ第二閾値以下である時に、ソース割り当て情報を通知するための伝送モードシグナリングと同じであっても良い。この場合、モード付加シグナリングは、無線基地局と同時に通信を行う移動局の最大数量を指定することができる。
【００４６】
オプションとして、ステップS701では、伝送モードシグナリングのみにより通知されているフォーマット情報を受信することができる。例えば、無線基地局と同時に通信を行う移動局の最大数量が第一閾値よりも大きく且つ第二閾値以下である場合について、無線基地局と同時に通信を行う移動局の最大数量が第一閾値以下である場合と異なる伝送モードを設置しても良い。それに応じて、無線基地局と同時に通信を行う移動局の最大数量が第一閾値以下である時に、ソース割り当て情報を通知するための伝送モードシグナリングは、無線基地局と同時に通信を行う移動局の最大数量が第一閾値よりも大きく且つ第二閾値以下である時に、ソース割り当て情報を通知するための伝送モードシグナリングと異なっても良い。
【００４７】
ステップS703では、確定されているリソース割り当て情報のフォーマットに基づいて、リソース割り当て情報から、前記移動局に対応するリソース割り当てエレメントを取得する。本開示の一例によれば、第一フォーマットを有するリソース割り当て情報中のリソース割り当てエレメントは、第二フォーマットを有するリソース割り当て情報中のリソース割り当てエレメントとは、類似したパラメータを含んでも良い。リソース割り当てエレメントは、アンテナポートパラメータを含んでも良い。具体的には、各移動局についてのリソース割り当てエレメントは、無線基地局が該移動局について割り当てた、データ伝送のためのアンテナポートを指定するために、アンテナポートパラメータを含んでも良い。また、リソース割り当てエレメントは、他のパラメータ、例えば、空間レイヤパラメータ"layer"及びスクランブリングパラメータ"SCID"などを含んでも良い。
【００４８】
本開示の一例によれば、無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは同じである。この場合、移動局は、それ自身のリソース割り当てエレメント中のアンテナポートパラメータに基づいて、該アンテナポートのチャネル送信リソースを確定することができる。また、移動局は、確定されているチャネル送信リソースを基づいて、さらに無線基地局が自分（該移動局）に下りリンク復調参照信号（DMRS）を送信する時に使用するチャネル送信リソース及び無線基地局が自分（該移動局）にデータを送信する時に使用するチャネル送信リソースを確定することもできる。
【００４９】
オプションとして、無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは異なる。この場合、図7に示す方法はさらに、無線基地局からリソース指定情報を受信し、そして、受信されているリソース指定情報に基づいて、無線基地局が前記移動局に対応する他の移動局にリソース割り当て情報を送信するアンテナポートのチャネル送信リソースを確定することを含む。前記移動局に対応する他の移動局は、無線基地局と同時に通信を行う、前記移動局以外の移動局であっても良い。また、移動局はさらに、それ自身のリソース割り当てエレメント中のアンテナポートパラメータに基づいて、該アンテナポートのチャネル送信リソースを確定することもできる。移動局は、確定されている、それ自身（該移動局）についてのアンテナポートのチャネル送信リソース及び他の移動局についてのアンテナポートのチャネル送信リソースに基づいて、さらに無線基地局が自分（該移動局）に下りリンク復調参照信号（DMRS）を送信する時に使用するチャネル送信リソース及び無線基地局が自分（該移動局）にデータを送信する時に使用するチャネル送信リソースを確定することもできる。
【００５０】
上述の無線リソーススケジューリング方法によれば、移動局は、無線基地局から送信された、リソース割り当て情報のフォーマットを指定するフォーマット情報及びフォーマット情報により指定されているフォーマットにマッチするリソース割り当て情報を受信することで、無線基地局がリソース割り当て情報により同時により多くの移動局をサポートする場合でも、無線基地局が該移動局とデータ伝送を行う時に使用する無線リソースを正確に確定することができ、これにより、通信システムの容量を増加させることができる。
【００５１】
以下、図8を参照しながら本開示の一実施例における移動局について詳細に説明する。図8は、本開示の一実施例における移動局800のブロック図である。図8に示すように、移動局800は、受信ユニット810及び制御ユニット820を含む。なお、この２つのユニット以外に、移動局800はさらに他のユニットを含んでも良いが、これらのユニットは、本実施例の内容に直接関係しないため、ここでの記載及び図示が省略される。また、本実施例による移動局800が行う下記操作の具体的な細部は、図7に基づいて説明されている細部と同じであるため、ここでの記載も省略される。
【００５２】
受信ユニット810は、無線基地局からフォーマット情報を受信することができ、そのうち、前記フォーマット情報は、リソース割り当て情報のフォーマットを指定し、前記フォーマットは、前記無線基地局と同時に通信を行う複数の移動局の数量に対応する。具体的には、無線基地局は、同時に複数の移動局にデータを伝送することができ、また、リソース割り当て情報のフォーマットは、該複数の移動局の最大数量に対応する。
【００５３】
制御ユニット820は、受信されているフォーマット情報に基づいて、リソース割り当て情報のフォーマットを確定することができる。例えば、受信ユニット810が無線基地局から受信するフォーマット情報は、第一フォーマット又は第二フォーマットを指定することができる。具体的には、無線基地局と同時に通信を行う移動局の最大数量が第一閾値以下である時に、受信ユニット810が受信しているフォーマット情報は、第一フォーマットを指定することができ、無線基地局と同時に通信を行う移動局の最大数量が第一閾値よりも大きく且つ第二閾値以下である時に、受信ユニット810が受信しているフォーマット情報は、第二フォーマットを指定することができる。
【００５４】
本開示の一例によれば、受信ユニット810は、下りリンク制御シグナリング（DCI）により通知されているリソース割り当て情報を受信することができる。上述のように、第二フォーマットを有するリソース割り当て情報中のリソース割り当てエレメントの数量は、第一フォーマットを有するリソース割り当て情報中のリソース割り当てエレメントの数量よりも大きくても良い。それに応じて、第二フォーマットを有するリソース割り当て情報を通知するための下りリンク制御シグナリングに含まれるビット数は、第一フォーマットを有するリソース割り当て情報を通知するための下りリンク制御シグナリングに含まれるビット数よりも大きい。
【００５５】
また、本開示の他の例によれば、受信ユニット810は、伝送モードシグナリング及びモード付加シグナリングにより通知されているフォーマット情報を受信することができる。例えば、無線基地局と同時に通信を行う移動局の最大数量が第一閾値以下である時に、ソース割り当て情報を通知するための伝送モードシグナリングは、無線基地局と同時に通信を行う移動局の最大数量が第一閾値よりも大きく且つ第二閾値以下である時に、ソース割り当て情報を通知するための伝送モードシグナリングと同じであって良い。この場合、モード付加シグナリングは、無線基地局と同時に通信を行う移動局の最大数量を指定することができる。
【００５６】
オプションとして、受信ユニット810は、伝送モードシグナリングのみにより通知されているフォーマット情報を受信することができる。例えば、無線基地局と同時に通信を行う移動局の最大数量が第一閾値よりも大きく且つ第二閾値以下である場合について、無線基地局と同時に通信を行う移動局の最大数量が第一閾値以下である場合と異なる伝送モードを設置しても良い。それに応じて、無線基地局と同時に通信を行う移動局の最大数量が第一閾値以下である時に、ソース割り当て情報を通知するための伝送モードシグナリングは、無線基地局と同時に通信を行う移動局の最大数量が第一閾値よりも大きく且つ第二閾値以下である時に、ソース割り当て情報を通知するための伝送モードシグナリングと異なっても良い。
【００５７】
制御ユニット820は、確定されているリソース割り当て情報のフォーマットに基づいて、リソース割り当て情報から、前記移動局に対応するリソース割り当てエレメントを得ることができる。本開示の一例によれば、第一フォーマットを有するリソース割り当て情報中のリソース割り当てエレメントは、第二フォーマットを有するリソース割り当て情報中のリソース割り当てエレメントとは、類似したパラメータを含んでも良い。リソース割り当てエレメントは、アンテナポートパラメータを含んでも良い。具体的には、各移動局についてのリソース割り当てエレメントは、アンテナポートパラメータを、無線基地局が該移動局のために割り当てた、データ伝送のためのアンテナポートを指定するために含んでも良く。また、リソース割り当てエレメントは、他のパラメータ、例えば、空間レイヤパラメータ"layer"及びスクランブリングパラメータ"SCID"などを含んでも良い。
【００５８】
本開示の一例によれば、無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは同じである。この場合、移動局は、それ自身のリソース割り当てエレメント中のアンテナポートパラメータに基づいて、該アンテナポートのチャネル送信リソースを確定することができる。また、移動局は、確定されているチャネル送信リソースに基づいて、さらに無線基地局が自分（該移動局）に下りリンク復調参照信号（DMRS）を送信する時に使用するチャネル送信リソース及び無線基地局が自分（該移動局）にデータを送信する時に使用するチャネル送信リソースを確定することもできる。
【００５９】
オプションとして、無線基地局と同時に通信を行う移動局の最大数量が第一閾値よりも大きく且つ第二閾値以下である時に、生成されているリソース割り当て情報を送信し得る複数のアンテナポートが占用するチャネル送信リソースは異なる。この場合、図5に示す方法はさらに、無線基地局からリソース指定情報を受信し、そして、受信されているリソース指定情報に基づいて、無線基地局が前記移動局に対応する他の移動局にリソース割り当て情報を送信するアンテナポートのチャネル送信リソースを確定することを含む。前記移動局に対応する他の移動局は、無線基地局と同時に通信を行う、前記移動局以外の移動局であっても良い。また、移動局はさらに、それ自身のリソース割り当てエレメント中のアンテナポートパラメータに基づいて、該アンテナポートのチャネル送信リソースを確定することもできる。移動局は、確定されている、それ自身（該移動局）についてのアンテナポートのチャネル送信リソース及び他の移動局についてのアンテナポートのチャネル送信リソースに基づいて、さらに無線基地局が自分（該移動局）に下りリンク復調参照信号（DMRS）を送信する時に使用するチャネル送信リソース及び無線基地局が自分（該移動局）にデータを送信する時に使用するチャネル送信リソースを確定することもできる。
【００６０】
上述の移動局によれば、無線基地局から送信された、リソース割り当て情報のフォーマットを指定するためのフォーマット情報及びフォーマット情報により指定されているフォーマットにマッチするリソース割り当て情報を受信することで、無線基地局がリソース割り当て情報により同時により多くの移動局をサポートする場合でも、無線基地局が該移動局とデータ伝送を行う時に使用する無線リソースを正確に確定することができ、これにより、通信システムの容量を増加させることができる。
【００６１】
＜ハードウェア構成＞
なお、上記実施例の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００６２】
例えば、本発明の一実施例における基地局、移動局などは、本発明の情報伝送方法又は情報処理方法の処理を行うコンピュータとして機能してもよい。図９は、本開示の実施例による基地局及び移動局のハードウェア構成の一例を示す図である。上述の無線基地局600及び移動局800は、物理的には、プロセッサ1001、メモリ1002、ストレージ1003、通信装置1004、入力装置1005、出力装置1006、バス1007などを含むコンピュータ装置として構成されてもよい。
【００６３】
なお、以下の説明では、「装置」という文言は、回路、デバイス、ユニットなどに読み替えることができる。無線基地局600及び移動局800のハードウェア構成は、図に示した各装置を１つ又は複数含むように構成されてもよいし、一部の装置を含まずに構成されてもよい。
【００６４】
無線基地局600及び移動局800における各機能は、プロセッサ1001、メモリ1002などのハードウェア上に所定のソフトウェア（プログラム）を読み込ませることで、プロセッサ1001が演算を行い、通信装置1004による通信、メモリ1002及びストレージ1003におけるデータの読み出し及び／又は書き込みを制御することで実現される。
【００６５】
プロセッサ1001は、例えば、オペレーティングシステムを動作させてコンピュータ全体を制御する。プロセッサ1001は、周辺装置とのインターフェース、制御装置、演算装置、レジスタなどを含む中央処理装置（CPU：Central  Processing  Unit）で構成されてもよい。例えば、上述の制御ユニット610、制御ユニット820などは、プロセッサ1001で実現されてもよい。
【００６６】
また、プロセッサ1001は、プログラム（プログラムコード）、ソフトウェアモジュール及び／又はデータを、ストレージ1003及び／又は通信装置1004からメモリ1002に読み出し、これらに従って各種の処理を実行する。プログラムとしては、上述の実施例で説明した動作の少なくとも一部をコンピュータに実行させるプログラムが用いられる。例えば、無線基地局600の制御ユニット610又は移動局800の制御ユニット820は、メモリ1002に格納され、プロセッサ1001で動作する制御プログラムによって実現されてもよく、他の機能ブロックについても同様に実現されてもよい。上述の各種処理は、１つのプロセッサ1001で実行される旨を説明してきたが、２以上のプロセッサ1001により同時又は逐次に実行されてもよい。プロセッサ1001は、１以上のチップで実装されてもよい。なお、プログラムは、電気通信回線を介してネットワークから送信されても良い。
【００６７】
メモリ1002は、コンピュータ読み取り可能な記録媒体であり、例えば、ROM（Read  Only  Memory）、EPROM（Erasable  Programmable  ROM）、EEPROM（Electrically Erasable Programmable ROM）、RAM（Random  Access  Memory）などの少なくとも１つで構成されてもよい。メモリ1002は、レジスタ、キャッシュ、メインメモリ（主記憶装置）などと呼ばれてもよい。メモリ1002は、本発明の一実施例に係る情報伝送方法又は情報処理方法を実施するために実行可能なプログラム（プログラムコード）、ソフトウェアモジュールなどを保存することができる。
【００６８】
ストレージ1003は、コンピュータ読み取り可能な記録媒体であり、例えば、CD-ROM（Compact  Disc  ROM）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ1003は、補助記憶装置と呼ばれてもよい。上述の記憶媒体は、例えば、メモリ1002及び／又はストレージ1003を含むデータベース、サーバその他の適切な媒体であってもよい。
【００６９】
通信装置1004は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信ユニット620、受信ユニット810などは、通信装置1004で実現されてもよい。
【００７０】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【００７１】
また、プロセッサ1001及びメモリ1002などの各装置は、情報を通信するためのバス1007で接続される。バス1007は、単一のバスで構成されてもよいし、装置間で異なるバスで構成されてもよい。
【００７２】
また、無線基地局600及び移動局800は、マイクロプロセッサ、デジタル信号プロセッサ（DSP：Digital  Signal  Processor）、ASIC（Application  Specific  Integrated  Circuit）、ＰＬＤ（Programmable  Logic  Device）、FPGA（Field  Programmable  Gate  Array）などのハードウェアを含んで構成されてもよく、当該ハードウェアにより、各機能ブロックの一部又は全てが実現されてもよい。例えば、プロセッサ1001は、これらのハードウェアの少なくとも１つで実装されてもよい。
【００７３】
＜補足＞
上述の無線基地局600及び移動局800の操作は、ハードウェアにより実現されても良く、処理器により実行されるソフトウェアモジュールにより実現されても良く、また、両者の組み合わせにより実現されても良い。
【００７４】
ソフトウェアモジュールは、任意の記憶媒体、例えば、RAM、フラッシュメモリ、ROM、EPROM、EEPROM、レジスタ、ハードディスク、取り外し可能なディスク及びCD-ROMに格納されても良い。
【００７５】
このような記憶媒体が処理器に接続されることにより、処理器は、該記憶媒体に情報を書き込んだり、該記憶媒体から情報を読み取ったりすることができる。このような記憶媒体及び処理器は、ASICに配置されても良く、該ASICは、無線基地局400及び移動局600に配置することができる。また、このような記憶媒体及び処理器は、ディスクリートコンポーネントとして、無線基地局400及び移動局600に配置されても良い。
【００７６】
以下、本発明の具体的な実施形態を例示的に列挙する。
【００７７】
（付記項１）
無線基地局により実行される無線リソーススケジューリング方法であって、
フォーマット情報を生成し、前記フォーマット情報は、リソース割り当て情報のフォーマットを指定し、前記フォーマットは、前記無線基地局と同時に通信を行う複数の移動局の数量に対応し；
前記複数の移動局に割り当てられる無線リソースに対応する前記フォーマット情報により指定されているフォーマットを有するリソース割り当て情報を生成し；及び
前記複数の移動局に、前記リソース割り当て情報を送信する、方法。
【００７８】
（付記項２）
付記項１に記載の方法において、前記フォーマット情報を生成することは、
前記無線基地局と同時に通信を行う移動局の最大数量が第一閾値以下である時に、第一フォーマットを指定するフォーマット情報を生成し；及び
前記無線基地局と同時に通信を行う移動局の最大数量が第一閾値よりも大きく且つ第二閾値以下である時に、第二フォーマットを指定するフォーマット情報を生成することを含んでもよい。
【００７９】
（付記項３）
付記項2に記載の方法において、下りリンク制御シグナリングにより、前記複数の移動局に、生成されている前記リソース割り当て情報を通知し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きくてもよい。
【００８０】
（付記項４）
無線基地局であって、
フォーマット情報を生成し、また、複数の移動局について割り当てられる無線リソースに対応する前記フォーマット情報により指定されているフォーマットを有するリソース割り当て情報を生成するための制御ユニットであって、前記フォーマット情報は、リソース割り当て情報のフォーマットを指定し、前記フォーマットは、前記無線基地局と同時に通信を行う複数の移動局の数量に対応する、制御ユニット；及び
前記複数の移動局に、前記リソース割り当て情報を送信するための送信ユニットを含む、無線基地局。
【００８１】
（付記項５）
付記項４に記載の無線基地局において、
前記制御ユニットは、前記無線基地局と同時に通信を行う移動局の最大数量が第一閾値以下である時に、第一フォーマットを指定するフォーマット情報を生成し；且つ前記無線基地局と同時に通信を行う移動局の最大数量が第一閾値よりも大きく且つ第二閾値以下である時に、第二フォーマットを指定するフォーマット情報を生成してもよい。
【００８２】
（付記項６）
付記項５に記載の無線基地局において、
前記送信ユニットは、下りリンク制御シグナリングにより、前記複数の移動局に、生成されている前記リソース割り当て情報を通知し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きくてもよい。
【００８３】
（付記項７）
無線基地局と同時に通信を行う複数の移動局のうちの移動局であって、
前記無線基地局からリソース割り当て情報を受信する受信ユニットを備え、
前記リソース割り当て情報のフォーマットは、前記無線基地局と同時に通信を行う前記複数の移動局の数量に対応し、
前記フォーマットは、前記複数の移動局に割り当てられる無線リソースに対応するフォーマット情報により指定される、移動局。
【００８４】
（付記項８）
付記項７に記載の移動局において、
前記無線基地局と同時に通信を行う移動局の最大数量が第一閾値以下である場合、前記フォーマット情報は、第一フォーマットを指定し、
前記無線基地局と同時に通信を行う移動局の最大数量が第一閾値よりも大きく且つ第二閾値以下である場合、前記フォーマット情報は、第二フォーマットを指定してもよい。
【００８５】
（付記項９）
付記項８に記載の移動局において、
前記受信ユニットは、下りリンク制御シグナリングにより、前記リソース割り当て情報を受信し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きくてもよい。
【００８６】
（付記項１０）
無線基地局と同時に通信を行う複数の移動局のうちの移動局に用いる無線リソーススケジューリング方法であって、
前記無線基地局からリソース割り当て情報を受信し、
前記リソース割り当て情報のフォーマットは、前記無線基地局と同時に通信を行う前記複数の移動局の数量に対応し、
前記フォーマットは、前記複数の移動局に割り当てられる無線リソースに対応するフォーマット情報により指定される、方法。
【００８７】
（付記項１１）
付記項１０に記載の方法において、
前記無線基地局と同時に通信を行う移動局の最大数量が第一閾値以下である場合、前記フォーマット情報は、第一フォーマットを指定し、
前記無線基地局と同時に通信を行う移動局の最大数量が第一閾値よりも大きく且つ第二閾値以下である場合、前記フォーマット情報は、第二フォーマットを指定してもよい。
【００８８】
（付記項１２）
付記項１１に記載の方法において、
下りリンク制御シグナリングにより、前記リソース割り当て情報を受信し、
前記第二フォーマットを有するリソース割り当て情報を通知するための下りリンク制御シグナリングに含まれているビット数は、前記第一フォーマットを有するリソース割り当て情報を通知するための下りリンク制御シグナリングに含まれているビット数よりも大きくてもよい。
【００８９】
以上、本開示の好ましい実施形態を説明したが、本開示はこの実施形態に限定されず、本開示の趣旨を離脱しない限り、本開示に対するあらゆる変更は本開示の技術的範囲に属する。
【００９０】
本特許出願は２０１５年８月１３日に出願した中国特許出願２０１５１０４９８４８７．５に基づきその優先権を主張するものであり、中国特許出願２０１５１０４９８４８７．５の全内容を本願に援用する。
【図１】
2017026457.tif 000003
【図２】
2017026457.tif 000004
【図３】
2017026457.tif 000005
【図４】
2017026457.tif 000006
【図５】
2017026457.tif 000007
【図６】
2017026457.tif 000008
【図７】
2017026457.tif 000009
【図８】
2017026457.tif 000010
【図９】
2017026457.tif 000011
【国際調査報告】
2017026457.tif 000012
2017026457.tif 000013
2017026457.tif 000014
2017026457.tif 000015